(57)【要約】【課題】熟練者でなくても研ぎムラや過剰研磨がなく、簡便かつ迅速にバリカン刃を研ぐことができるバリカン刃研ぎ装置およびバリカン刃用砥石を提供する。【解決手段】本考案のバリカン刃研ぎ装置は、基台１上に載置した砥石２の両側に平行な摺動ガイド６、７を設けてこれに摺動部材８をそれぞれ設けている。摺動部材８にはアーム１０の両端が固設されている。そして、アーム１０にバリカン刃３１、３２を砥石２の長手方向と直角方向に位置させて保持するホルダー１５、１６と、これに係合し、上方から弾性部材で押圧される保持金具１３、１４を設けている。また、砥石２は球状黒鉛鋳鉄製で、上面を緩やかな凸面とするとともに、斜めの平行な溝２ａを全面に設けている。【選択図】図１
0003121525.tif 000002
【実用新案登録請求の範囲】
【請求項１】
砥石の両側に摺動ガイドを平行に設け、該摺動ガイドにそれぞれ設けた摺動部材に該砥石を跨いだアームの両端を固設し、該アームに刃先方向を砥石の長手方向と直角方向に位置させたバリカン刃を弾性部材を介して上方から保持する保持手段を設けたことを特徴とするバリカン刃研ぎ装置。
【請求項２】
前記保持手段は、前記アームに弾性部材である下方へ付勢するコイルバネを介して取り付けられた保持金具と、バリカン刃を保持し該保持金具に脱着可能なホルダーとからなることを特徴とする請求項１記載のバリカン刃研ぎ装置。
【請求項３】
前記保持手段は、バリカン上刃に対しては、滑合片を取り外さずに、該滑合片が砥石の側端より外へ位置するように保持することを特徴とする請求項１または請求項２記載のバリカン刃研ぎ装置。
【請求項４】
バリカン上刃を保持する前記保持手段と、バリカン下刃を保持する前記保持手段とを前記アームに並列に設けたことを特徴とする請求項１記載のバリカン刃研ぎ装置。
【請求項５】
球状黒鉛鋳鉄製であり、上面を緩やかな凸面とするとともに、斜めの平行な溝を全面に設けたことを特徴とする請求項１記載のバリカン刃研ぎ装置に使用する砥石。
【考案の詳細な説明】
【技術分野】
【０００１】
本考案は、主として理容に用いられるバリカン刃の研ぎ装置とその装置に使用する砥石に関するものである。
【背景技術】
【０００２】
バリカンはある程度使用すると切れが悪くなるので、定期的に櫛歯状のバリカン刃を本体から取り外して砥石で研いでいる。このバリカン刃は、図１０に示すように、バリカン上刃３１とバリカン下刃３２があるが、持ちにくく、研ぎ上げるには相当な熟練を必要としている。そこで、この作業を簡便にするために、円盤状の砥石をモータで回転させ、これにホルダーに固定したバリカン刃を押し当てながら手で押えて研ぐようにしたものが知られている。また、上面を緩やかな円錐形とした円盤状の砥石（研磨盤）に円周方向へバリカン刃を摺動させて研ぐようにしたものもある（例えば、特許文献１）。
【０００３】
【特許文献１】実用新案登録第３１１２２６６号
【考案の開示】
【考案が解決しようとする課題】
【０００４】
従来のバリカン刃研ぎ装置は、砥石へバリカン刃を押し付ける圧力を、人の手によっているので、研ぎムラができたり、過剰に研磨してしまうといった問題があり、熟練を必要とする。また、バリカン上刃には合成樹脂製の滑合片がネジ止めされており、研ぐときには、これを取り外すが、このネジは非常に小さいネジであり、脱着のときに雌ネジを損傷させてしまうことが少なくない。また、バリカン刃の砥石は、平面状に形成されているので、研摩材が常にバリカン刃の摺動面に適正量存在させることが煩雑であるという問題もある。
【０００５】
そこで、本考案は、熟練者でなくても研ぎムラや過剰研磨がなく、簡便かつ迅速にバリカン刃を研ぐことができるバリカン刃研ぎ装置およびそれに使用する砥石を提供することを目的としている。
【課題を解決するための手段】
【０００６】
本考案のバリカン刃研ぎ装置は、上記の目的を達成するため、次の手段を採った。すなわち、砥石の両側に摺動ガイドを平行に設け、該摺動ガイドにそれぞれ設けた摺動部材に該砥石を跨いだアームの両端を固設し、該アームに刃先方向を砥石の長手方向と直角方向に位置させたバリカン刃を弾性部材を介して上方から保持する保持手段を設けたことを特徴としている。
【０００７】
本考案のバリカン刃研ぎ装置は、バリカン刃の刃先方向を砥石の長手方向に対して直角方向に位置させて、弾性部材により一定の押圧を常時かけた状態で往復動させて研ぐようにしたものである。
【０００８】
保持手段は、バリカン上刃またはバリカン下刃のいずれも保持できるようにして、一個づつ研ぐようにしてもよいが、請求項４に記載のように、バリカン上刃を保持する保持手段と、バリカン下刃を保持する保持手段とをアームに並列に設けて同時に研げるようにするのが望ましい。
【０００９】
また、保持手段は、一体のものとしてもよいが、請求項２に記載のように、アームに弾性部材を介して取り付けられた保持金具と、バリカン刃を保持し該保持金具に脱着可能なホルダーとに分割すると作業性がよい。また、弾性部材はゴムでもよいがコイルバネにするのが望ましい。
さらに、保持手段は、バリカン上刃に対しては、請求項３に記載のように、滑合片を取り外さずに、滑合片が砥石の側端より外へ位置するようにして保持するとよい。
【００１０】
バリカン刃を研ぐための往復動は、アームを保持して手動で行うようにしてもよい。自動の場合は、モータなどの駆動装置を内装したフレーム上に砥石を載置し、モータからリンクなどで摺動ガイドに設けた摺動部材を往復動させるように連結するとよい。なお、摺動部材を往復動させる手段は種々考えられ、適宜選定すればよい。
【００１１】
この装置に使用する砥石は、古くから使用されているバリカン刃研ぎ用のものを用いることができるが、請求項５に記載のように、球状黒鉛鋳鉄製であり、上面を緩やかな凸面とするとともに、斜めの平行な溝を全面に設けたものとするのが望ましい。なお、緩やかな凸面は、バリカン刃の裏面の凹曲面に対応して形成するもので、接触面積を大きくするためのものである。
【考案の効果】
【００１２】
本考案のバリカン刃研ぎ装置は、上記のように、砥石の両側に摺動ガイドを平行に設け、摺動ガイドにそれぞれ設けた摺動部材にアームの両端を固設し、アームに刃先方向を砥石の長手方向と直角方向に位置させたバリカン刃を弾性部材を介して保持手段で保持するようにしたので、往復動させるだけで、砥石に対して、常に一定の押圧でバリカン刃を押し付けて研ぐことができ、研ぎムラや過剰に研ぐことがなく、熟練者でなくても簡便に研ぎ上げることができる。
【００１３】
また、バリカン刃の保持手段は、請求項２に記載のように、アームに弾性部材である下方へ付勢するコイルバネを介して取り付けられた保持金具と、バリカン刃を保持し該保持金具に脱着可能なホルダーとに分割すれば、バリカン刃の取り付け、取り外しを簡便迅速に行うことができる。
【００１４】
また、バリカン刃の保持手段は、請求項３に記載のように、バリカン上刃に対しては、滑合片を砥石の側端より外へ位置させて保持するようにすれば、滑合片の脱着作業を省略でき、より簡便迅速に研ぐことができる。
さらに、請求項４に記載のように、バリカン上刃を保持する保持手段と、バリカン下刃を保持する保持手段とをアームに並列に設ければ、一度に一対のバリカン刃を研ぎ上げることができ、効率が良い。
【００１５】
一方、このバリカン刃研ぎ装置に使用する砥石は、請求項５に記載のように、球状黒鉛鋳鉄製であり、上面を緩やかな凸面とするとともに、斜めの平行な溝を全面に設けたものとすれば、バリカン刃が砥石に密着し、研ぎ材が常に一定して刃部に与えられ、研ぎ始めから終わりまで、一定の状態で研ぐことができる。
【考案を実施するための最良の形態】
【００１６】
本考案のバリカン刃研ぎ装置の実施の形態を図１〜図７に基づいて説明する。
バリカン刃は、図１０に示すように、櫛歯状の刃３１ａを有するバリカン上刃３１と、櫛歯状の刃３２ａを有するバリカン下刃３２とからなり、研ぐときは、両者とも研ぐ必要がある。
この実施の形態のバリカン刃研ぎ装置は、バリカン上刃３１とバリカン下刃３２を同時に自動的に研ぐように構成している。
【００１７】
この装置の概略は、フレーム３上に設けた基台１に砥石２を載置し、砥石２の長手方向に往復動するアーム１０にバリカン上刃３１とバリカン下刃３２をそれぞれ保持する保持手段１１がコイルバネ１２を介して設けられている。
フレーム３は、箱体状であり、アーム１０を往復動させるためのモータとこれの制御装置が内装されている。そして、正面側には、スイッチ２７とタイマー２８が設けられている。
【００１８】
基台１は、四隅に脚１ａを備え、脚１ａの下端はフレーム３上に固設されている。
砥石２は、直方体状で、球状黒鉛鋳鉄（ＦＣＤ７００，硬度１８０〜３００ＨＢ，引張強さ７００ニュートン毎平方ミリメートル以上）製を使用しており、図４に示すように、上面に斜め方向に一定間隔（ここでは１５ｍｍとしている）の溝２ａが形成され、中央には長手方向に沿って中溝２ｂが形成されている。そして、上面は大きな凸曲面（ここではＲ＝１７３００ｍｍとしている）を形成している。なお、溝２ａは、ここでは、幅１ｍｍ，深さ１．５ｍｍとしている。
【００１９】
アーム１０は、フレーム３の前端と後端に立設した前枠４と後枠５に支持された平行な摺動ガイド６、７に、摺動可能に取り付けられている。すなわち、摺動ガイド６、７には、アーム１０の左右端をそれぞれ固設した摺動部材８、８が移動可能に設けられている。  そして、両摺動部材８下部は連結材２１によって連結されており、裏面に溝状の案内レールが形成されている。アーム１０は、モータで駆動される軸２６により腕２２を作動させることによって前後方向に往復動する。なお、２３は、案内レール内を摺動する係合材である（図３参照）。
【００２０】
アーム１０の上部には取付部材１０ａが固設されており、下端に保持手段１１が固設された連結軸１１ｂが上下方向に摺動可能に嵌挿されている。保持手段１１は左右に２個設けられ、連結軸１１ｂは、保持手段１１それぞれに２個設けられている。そして、取付部材１０ａと保持手段１１の間に弾性部材としてのコイルバネ１２が設けられている。また、連結軸１１ｂの上端には把手１１ａが固設されている。
【００２１】
保持手段１１の一方は、上端に連結軸１１が固設された保持金具１３とバリカン上刃３１を保持するホルダー１５からなり、他方は、上端に連結軸１１が固設された保持金具１４とバリカン下刃３２を保持するホルダー１６からなる。
そして、保持金具１３および保持金具１４は、それぞれ、ホルダー１５およびホルダー１６と前後および左右方向が固定されるように係合可能に構成されている。
すなわち、ホルダー１５は、図５に示すように、保持金具１３の凸部１３ａ，１３ｂを嵌合する係止溝１５ａ，１５ｂが設けられている。ホルダー１６も同様である。
【００２２】
ホルダー１５は、裏返しにすると図６に示すように、バリカン上刃３１が嵌装されるように形成されている。バリカン上刃３１にはバリカン下刃３２と摺動する滑合片３３が小ネジ３４で取り付けられており、バリカン上刃３１の刃面より上に出ているが、ホルダー１５は、これを外さずに付けたまま保持する。そして、ホルダー１５は、滑合片３３の部分が砥石２から外れるように、砥石２の左側面からはみ出した状態に位置させて設けられている（図３参照）。
一方、ホルダー１６は、図７に示すようにＬ字状の形態をしており、バリカン下刃３２の柄部３２ｂを嵌入部１６ｂに嵌合させて止めネジ１６ａで固定する。
【００２３】
次に、上記のように構成されたバリカン刃研ぎ装置の作用について説明する。
まず、バリカンを分解してバリカン上刃３１とバリカン下刃３２を取り出す。
次に、ホルダー１５とホルダー１６を保持金具１３と保持金具１４から取り外し、バリカン上刃３１は、図６に示すように、滑合片３３が取り付けられた状態のままでホルダー１５に嵌装させる。そして、バリカン下刃３２は、バリカン下刃３２の柄部３２ｂをホルダー１６の嵌入部１６ｂに嵌合させて止めネジ１６ａで固定する。図６において、１６ｃ，１６ｄは、保持金具１４の凸部に嵌合する係止溝である。
【００２４】
次に、砥石２の上面に研摩材を塗布し、把手１１ａの先端部に指をかけて保持金具１３を持ち上げ、バリカン上刃３１が嵌装されたホルダー１５をその下へ移動させて保持金具１３に嵌合係止させる。続いて、バリカン下刃３２を保持したホルダー１６を同様にして保持金具１４に嵌合係止させる。
【００２５】
これで、準備が完了するので、この状態で、タイマー２８をセット（２〜５分程度）し、スタートスイッチ２７を押す。これにより、モータ２５が作動し、摺動部材８が摺動ガイド６、７を往復動する。そして、バリカン上刃３１とバリカン下刃３２がそれぞれ、コイルバネ１２で砥石２へ押圧された状態で刃先方向と直角方向に往復摺動する。
【００２６】
バリカン上刃３１およびバリカン下刃３２は緩やかな凹曲面に形成されているが、砥石２の表面が緩やかな凸曲面としているので刃面全体が砥石２に接触し、また、砥石２表面の斜めの溝２ａによって、研摩材が適宜に滞留し、常に一定量の研摩材が刃面へ与えられ、いつも良好な状態で研ぐことができる。なお、余分な研摩材は中央の中溝に流れ除去される。
【００２７】
タイマー２８で設定した時間が経過すると、モータが停止するので、把手１１ａの先端部に指をかけて保持金具１３を持ち上げ、ホルダー１５を保持金具１３から外し、バリカン上刃３１を取り出す。また、同様にバリカン下刃３２を取り出す。これにより、バリカン刃研ぎは終了する。
【００２８】
上記の実施例では、保持手段１１をアーム１０に弾性部材であるコイルバネ１２で支持したもので説明したが、次に、弾性部材を板バネとした実施例を図８および図９で説明する。
アーム１０の背面側に取付部材３６がネジ止めされており、これに、板バネ３５が２個取り付けられ、一方の板バネ３５には保持金具１３が、他方の板バネ３５には保持金具１４が固設されている。板バネ３５は、バネ力が下方へ付勢するように取り付けられ、先端は指で押し上げ可能に折り曲げられている。
ホルダー１５、１６を保持金具１３、１４へ着脱するときは、板バネ３５の先端に指をかけて持ち上げて行う。
【図面の簡単な説明】
【００２９】
【図１】本考案のバリカン刃研ぎ装置の実施の形態を示す斜視図である。
【図２】同  図１のＡＡ視断面図である。
【図３】同  図１のＢＢ視断面図である。
【図４】同  砥石の斜視図である。
【図５】同  ホルダー１５の斜視図である。
【図６】同  バリカン上刃をホルダー１５に嵌合させ裏返した状態の斜視図である。
【図７】同  ホルダー１６の斜視図である。
【図８】同  保持手段１１を板バネで支持した実施例を示すもので、図２に対応する図である。
【図９】同  板バネで支持した状態の全体を示す斜視図である。
【図１０】（ａ）はバリカン上刃の斜視図で、（ｂ）はバリカン下刃の斜視図である。
【符号の説明】
【００３０】
１  基台
１ａ  脚
２  砥石
２ａ  溝
２ｂ  中溝
３  フレーム
４  前枠
５  後枠
６  摺動レール
７  摺動レール
８  摺動部材
１０  アーム
１０ａ  取付部材
１１  保持手段
１１ａ  把手
１１ｂ  連結軸
１２  コイルバネ
１３  保持金具
１３ａ  凸部
１３ｂ  凸部
１４  保持金具
１５  ホルダー
１５ａ  係止溝
１５ｂ  係止溝
１６  ホルダー
１６ａ  止めネジ
１６ｂ  嵌入部
１６ｃ  係止溝
１６ｄ  係止溝
２１  連結材
２２  腕
２３  係合材
２５  モータ
２６  軸
２７  スイッチ
２８  タイマ
３１  バリカン上刃
３１ａ  櫛歯状の刃
３２  バリカン下刃
３２ａ  櫛歯状の刃
３３  滑合片
３４  小ネジ
３５  板バネ
３６  取付部材
【図１】
0003121525.tif 000003
【図２】
0003121525.tif 000004
【図３】
0003121525.tif 000005
【図４】
0003121525.tif 000006
【図５】
0003121525.tif 000007
【図６】
0003121525.tif 000008
【図７】
0003121525.tif 000009
【図８】
0003121525.tif 000010
【図９】
0003121525.tif 000011
【図１０】
0003121525.tif 000012